(57)【要約】【課題】保護壁の変形を抑制し、弾性接触片を確実に保護することができる端子金具を提供することを目的とする。【解決手段】端子金具１は、底壁部１２と、底壁部１２から立ち上がる一対の側壁部１３Ａ、１３Ｂと、側壁部１３Ａから連なり、底壁部１２と対向して配された天壁部１５とによって構成され、一端に雄端子金具のタブ部Ｔが進入可能な端子挿入口１７を有する角筒部１１と、角筒部１１の内部に、底壁部１２に沿って配置された弾性接触片２１と、一対の側壁部１３Ａ、１３Ｂから延び、天壁部１５との間にタブ部Ｔの進入を許容する隙間を残して端子挿入口１７を塞ぐように配置された一対の保護壁３１Ａ、３１Ｂとを備える。一対の保護壁３１Ａ、３１Ｂは、互いに相手側の保護壁３１Ａ、３１Ｂと対向する対向縁３５Ａ、３５Ｂを有しており、対向縁３５Ａ、３５Ｂが、底壁部１２に対して垂直な線Ｌに対して斜めに延びている。【選択図】図４
2019016479.tif 000002
【特許請求の範囲】
【請求項１】
タブ部を備える相手端子金具と接続される端子金具であって、
底壁部と、前記底壁部から立ち上がる一対の側壁部と、前記側壁部から連なり、前記底壁部と対向して配された天壁部とによって構成され、一端に前記タブ部が進入可能な開口部を有する角筒部と、
前記角筒部の内部に、前記底壁部に沿って配置された板ばね状の弾性接触片と、
前記一対の側壁部から延び、前記天壁部との間に前記タブ部の進入を許容する隙間を残して前記開口部を塞ぐように配置された一対の保護壁とを備える端子金具であって、
前記一対の保護壁が、互いに相手側の前記保護壁と対向する対向縁を有しており、
前記対向縁が、前記底壁部に対して垂直な線に対して角度をなして延びる部分を有している、端子金具。
【請求項２】
前記対向縁が、全長にわたって、前記底壁部に対して垂直な線に対して斜めに傾いている、請求項１に記載の端子金具。
【請求項３】
前記対向縁のうち前記天壁部側の一部分と、前記底壁部側の残りの部分とが、前記底壁部と垂直な線に対して互いに反対向きに傾斜している、請求項１に記載の端子金具。
【発明の詳細な説明】
【技術分野】
【０００１】
本明細書によって開示される技術は、端子金具に関する。
【背景技術】
【０００２】
角筒状のピン・コンタクト受入れ部と、このピン・コンタクト受入れ部の内部に配置されたばね接触部（弾性接触片）とを備えるソケット・コンタクトが知られている。ピン・コンタクト受入れ部の前端には、弾性接触片を保護するための一対の保護壁が設けられている。一対の保護壁は、ピン・コンタクトを受け入れ可能な隙間を残して、ピン・コンタクト受入れ部の開口部を塞ぐように設けられている（特許文献１参照）。
【先行技術文献】
【特許文献】
【０００３】
【特許文献１】実開平５−５３１４６号公報
【発明の概要】
【発明が解決しようとする課題】
【０００４】
上記のように、保護壁が設けられている構成であっても、保護壁が外力によって変形してしまった場合には、弾性接触片の保護が十分ではなくなるおそれがある。
【課題を解決するための手段】
【０００５】
本明細書によって開示される端子金具は、タブ部を備える相手端子金具と接続される端子金具であって、底壁部と、前記底壁部から立ち上がる一対の側壁部と、前記側壁部から連なり、前記底壁部と対向して配された天壁部とによって構成され、一端に前記タブ部が進入可能な開口部を有する角筒部と、前記角筒部の内部に、前記底壁部に沿って配置された板ばね状の弾性接触片と、前記一対の側壁部から延び、前記天壁部との間に前記タブ部の進入を許容する隙間を残して前記開口部を塞ぐように配置された一対の保護壁とを備える端子金具であって、前記一対の保護壁が、互いに相手側の前記保護壁と対向する対向縁を有しており、前記対向縁が、前記底壁部に対して垂直な線に対して角度をなして延びる部分を有している。
【０００６】
角筒部に対して、底壁部側から異物が当たる等した場合には、保護壁に対して、底壁部から天壁部に向かう方向に外力が作用し、保護壁が底壁部から天壁部に向かう方向に変形しようとする。上記の構成によれば、保護壁の対向縁が、底壁部と垂直な線に対して角度をなしているから、一方の保護壁の対向縁が他方の保護壁の対向縁に干渉する。これにより、底壁部から天壁部に向かう方向に加えられる外力に抗して保護壁の変形を抑制し、板ばね部を確実に保護することができる。
【０００７】
上記の構成において、前記対向縁が、全長にわたって、前記底壁部に対して垂直な線に対して斜めに傾いていても構わない。
このような構成によれば、単純な形状で保護壁の変形を抑制することができ、製造工程の複雑化を避けることができる。
【０００８】
上記の構成において、前記対向縁のうち前記天壁部側の一部分と、前記底壁部側の残りの部分とが、前記底壁部と垂直な線に対して互いに反対向きに傾斜していても構わない。
このような構成によれば、一方の保護壁の山状部分が、他方の保護壁の谷状部分の内側に入り込むようになっているので、保護壁の変形を確実に規制することができる。
【発明の効果】
【０００９】
本明細書によって開示される技術によれば、保護壁の変形を抑制し、弾性接触片を確実に保護することができる。
【図面の簡単な説明】
【００１０】
【図１】実施形態の端子金具の側面図
【図２】実施形態の端子金具の正面図
【図３】図２のＡ−Ａ線断面図
【図４】図２の円Ｒ内の拡大図
【図５】変形例の端子金具の部分拡大図
【図６】従来の端子金具の部分拡大図
【発明を実施するための形態】
【００１１】
実施形態を、図１〜図４を参照しつつ説明する。本実施形態の端子金具１は、相手側である雄端子金具と接続される雌型の端子金具であって、金属板材を打ち抜き加工および曲げ加工して形成される。この端子金具１は、図１に示すように、本体部１０と、この本体部１０から連なり、電線の端末に接続される接続部４０とを備えている。
【００１２】
本体部１０は、内部に雄端子金具のタブ部Ｔを受け入れる角筒部１１と、角筒部１１の内部に配されて雄端子金具のタブ部Ｔと接触する弾性接触片２１と、角筒部１１から連なり、弾性接触片２１を保護する一対の保護壁３１Ａ、３１Ｂとを備えている。
【００１３】
角筒部１１は、図２および図３に示すように、両端に開口部を有する角筒状の部分であって、底壁部１２と、一対の側壁部１３Ａ、１３Ｂと、天壁部１５とを備えている。底壁部１２は、細長い板状の部分である。一対の側壁部１３Ａ、１３Ｂのそれぞれは、底壁部１２の２つの側縁のそれぞれから、底壁部１２に対して垂直に立ち上がる、細長い板状の部分である。２つの側壁部１３Ａ、１３Ｂは、互いに向かい合って配置されている。天壁部１５は、底壁部１２に対向して配置される、細長い板状の部分であって、側壁部１３Ｂから連なり、側壁部１３Ａに向かって延びている。なお、天壁部１５の外側面には、側壁部１３Ａから連なり、側壁部１３Ｂに向かって延びる係止壁１６が重なって配置されている。
【００１４】
図３に示すように、角筒部１１の一端部（図３の左側の端部）において、底壁部１２は、他の３つの壁部（一対の側壁部１３Ａ、１３Ｂおよび天壁部１５）よりも短くなっており、他の３つの壁部は、底壁部１２の先端縁よりも先端方向（図３の左方向）に延びている。このため、２つの側壁部１３Ａ、１３Ｂは、それぞれ、底壁部１２の先端縁から側壁部１３Ａ、１３Ｂの先端縁まで延びる縁部（下縁１４Ａ、１４Ｂ；図１および図３の下側の縁）を有している。角筒部１１においてこの一端部に開口する開口部は、図３に示すように、雄端子のタブ部Ｔが挿入される端子挿入口１７となっている。
【００１５】
弾性接触片２１は、図３に示すように、角筒部１１の内部に配置され、底壁部１２に沿って延びる板バネ状の部分である。この弾性接触片２１は、一端部が、底壁部１２の端子挿入口１７側の先端縁から、角筒部１１の内側に向かって折り返されるように湾曲する基端部２１Ａとなっており、他端部が自由端部２１Ｂとなっている。
【００１６】
弾性接触片２１は、基端部２１Ａに近い側の大部分が、基端部２１Ａから離れるに従って緩やかに底壁部１２から離れ、自由端部２１Ｂに近い残りの部分が底壁部１２と平行に延びる山状をなしている。山の頂点部分には、天壁部１５に向かってドーム状に膨出し、タブ部Ｔに接触する接点部２１Ｃが配置されている。
【００１７】
底壁部１２は、図３に示すように、弾性接触片２１を補助する補助ばね片２２と、弾性接触片２１の過度の撓みを防止する過度撓み防止部２３とを有している。
【００１８】
補助ばね片２２は、底壁部１２の一部が内側に切り起こされることによって形成された板ばね状の部分であって、弾性接触片２１の自由端部２１Ｂに外側から当接するようになっている。弾性接触片２１が底壁部１２に近接するように撓み変形すると、補助ばね片２２が弾性接触片２１に押されて双方が同時に撓み変形することになるため、補助ばね片２２の弾性復元力によって、弾性接触片２１の弾性復元が補助される。
【００１９】
底壁部１２において、接点部２１Ｃと対向する部分は、内側に向かって（弾性接触片２１に向かって）突出しており、この突出部分は、過度撓み防止部２３となっている。弾性接触片２１が過度に撓み変形しようとした場合、弾性接触片２１が過度撓み防止部２３に当接することで弾性接触片２１のそれ以上の撓みが防止される。
【００２０】
天壁部１５の一部分（弾性接触片２１と対向する部分）は、図３に示すように、内側に向かって（弾性接触片２１に向かって）膨出しており、この膨出部分は、接点部２１Ｃとの間でタブ部Ｔを挟み付けてタブ部Ｔとの接触圧を確保するための受圧部２４となっている。
【００２１】
２つの側壁部１３Ａ、１３Ｂのそれぞれは、図１および図３に示すように、底壁部１２と天壁部１５とのほぼ中間位置に、底壁部１２および天壁部１５と平行に延びるスリットＳを有している。
【００２２】
一対の保護壁３１Ａ、３１Ｂは、図２および図３に示すように、角筒部１１から延び、天壁部１５との間にタブ部Ｔの進入を許容する隙間を残して、端子挿入口１７における底壁部１２側の約半分を塞ぐように配置された板壁状の部分である。
【００２３】
一対の保護壁３１Ａ、３１Ｂのうち一方の保護壁３１Ａは、図２および図４に示すように、保護壁本体３２Ａと、この保護壁本体３２Ａから連なる突出部３４Ａとを備えている。保護壁本体３２Ａは、一方の側壁部１３Ａから相手側の側壁部１３Ｂに向かって垂直に延びる板状の部分であって、スリットＳと下縁１４Ａとの間に位置している。突出部３４Ａは、保護壁本体３２Ａにおいて底壁部１２側の底縁３３Ａ（図４において下側の縁）から突出する板片状の部分であって、下縁１４Ａよりも底壁部１２側（図４の下方）に延びている（図１を併せて参照）。
【００２４】
他方の保護壁３１Ｂは、一方の保護壁３１Ａと同様に、保護壁本体３２Ｂと、この保護壁本体３２Ｂから連なる突出部３４Ｂとを備えている。保護壁本体３２Ｂは、他方の側壁部１３Ｂから相手側の側壁部１３Ａに向かって垂直に延びる板状の部分であって、スリットＳと下縁１４Ｂとの間に位置している。突出部３４Ｂは、保護壁本体３２Ｂにおいて底壁部１２側の底縁３３Ｂ（図４において下側の縁部）から突出する板片状の部分であって、下縁１４Ｂよりも底壁部１２側（図４の下方）に延びている（図３を併せて参照）。２つの突出部３４Ａ、３４Ｂは、隣り合って配置されている。
【００２５】
一対の保護壁３１Ａ、３１Ｂは、角筒部１１の端子挿入口１７から弾性接触片２１に向かって進入してこようとする異物と干渉して進入を規制することで、異物によって弾性接触片２１が損傷することを防いでいる。
【００２６】
また、一対の突出部３４Ａ、３４Ｂは、端子金具１がコネクタハウジング（図示せず）のキャビティの内部で斜めに傾いた際に、キャビティの内面に突き当たることにより、側壁部１３Ａ、１３Ｂの下縁１４Ａ、１４Ｂがキャビティの内面を擦ってすじ状の傷がつくことを防いでいる。
【００２７】
一方の保護壁３１Ａにおいて、他方の保護壁３１Ｂと対向する対向縁３５Ａは、図４に示すように、全長にわたって、底壁部１２と垂直な線Ｌに対して斜めに傾いている。より具体的には、対向縁３５Ａは、底壁部１２に近づくにつれて、側壁部１３Ｂから側壁部１３Ａに近づくように傾斜している。他方の保護壁３１Ｂにおいて、一方の保護壁３１Ａと対向する対向縁３５Ｂは、同様に、全長にわたって、底壁部１２と垂直な線Ｌに対して斜めに傾いている。より具体的には、対向縁３５Ｂは、一方の保護壁３１Ａの対向縁３５Ａに対してわずかな隙間を空けて平行に延び、対向縁３５Ａの傾斜に倣うように（底壁部１２に近づくにつれて、側壁部１３Ｂから側壁部１３Ａに近づくように）傾斜している。
【００２８】
接続部４０は、図１に示すように、角筒部１１の他端（端子挿入口１７が開口している側とは反対側の端部）から延びる底板４１と、この底板４１から延びる２対のバレル部４２、４３とを備えている。２対のバレル部４２、４３が電線（図示せず）の一端部にかしめ付けられることで、端子金具１と電線とが接続される。
【００２９】
この端子金具１が雄端子金具と接続される際には、図３に示すように、タブ部Ｔが、天壁部１５と保護壁３１Ａ、３１Ｂとの隙間を通って角筒部１１の内部に進入する。タブ部Ｔは、角筒部１１の内部に進入していくと、弾性接触片２１の接点部２１Ｃと当接して、弾性接触片２１を下方へ押圧する。これにより補助ばね片２２も下方に押圧されて、下方に弾性撓み変形する。この結果、タブ部Ｔに弾性接触片２１及び補助ばね片２２からの弾発力が働き、タブ部Ｔは、受圧部２４と、弾性接触片２１の接点部２１Ｃとの間に挟み付けられる。これにより端子金具１と雄端子金具との電気的接続が図られる。
【００３０】
角筒部１１の一端部に対して、底壁部１２側から（図４の下側から）異物が当たる等した場合には、保護壁３１Ａ、３１Ｂに対して、底壁部１２から天壁部１５に向かう方向（図４の太矢印方向）に外力が作用し、保護壁３１Ａ、３１Ｂが底壁部１２から天壁部１５に向かう方向に変形しようとする。
【００３１】
ここで、図６に示す従来の端子金具１００のように、一対の保護壁１０１Ａ、１０１Ｂの対向縁１０２Ａ、１０２Ｂが、底壁部１２に対して垂直な方向（図６の上下方向）に延びていると、底壁部１２側から（図４の下側から）異物が当たる等した場合に、外力が作用する方向（図６の太矢印方向）に沿って延びている対向縁１０２Ａ、１０２Ｂが互いに干渉しにくく、保護壁１０１Ａ、１０１Ｂの変形が抑制されにくい。
【００３２】
これに対し、本実施形態では、保護壁３１Ａ、３１Ｂの対向縁３５Ａ、３５Ｂが、底壁部１２と垂直な線Ｌに対して斜めに傾いている。言い換えると、対向縁３５Ａ、３５Ｂは、外力が加えられる方向、すなわち、保護壁３１Ａ、３１Ｂが変形しようとする方向に対して斜めに傾いているので、一方の保護壁３１Ａの対向縁３５Ａが他方の保護壁３１Ｂの対向縁３５Ｂに干渉し、それ以上の保護壁３１Ａ、３１Ｂの変形が規制される。
【００３３】
以上のように本実施形態によれば、端子金具１は、底壁部１２と、底壁部１２から立ち上がる一対の側壁部１３Ａ、１３Ｂと、側壁部１３Ａから連なり、底壁部１２と対向して配された天壁部１５とによって構成され、一端に雄端子金具のタブ部Ｔが進入可能な端子挿入口１７を有する角筒部１１と、角筒部１１の内部に、底壁部１２に沿って配置された板ばね状の弾性接触片２１と、一対の側壁部１３Ａ、１３Ｂから延び、天壁部１５との間にタブ部Ｔの進入を許容する隙間を残して端子挿入口１７を塞ぐように配置された一対の保護壁３１Ａ、３１Ｂとを備える。一対の保護壁３１Ａ、３１Ｂは、互いに相手側の保護壁３１Ａ、３１Ｂと対向する対向縁３５Ａ、３５Ｂを有しており、対向縁３５Ａ、３５Ｂが、底壁部１２に対して垂直な線Ｌに対して斜めに延びている。
【００３４】
角筒部１１に対して、底壁部１２側から異物が当たる等した場合には、保護壁３１Ａ、３１Ｂに対して、底壁部１２から天壁部１５に向かう方向に外力が作用し、保護壁３１Ａ、３１Ｂが底壁部１２から天壁部１５に向かう方向に変形しようとする。上記の構成によれば、保護壁３１Ａ、３１Ｂの対向縁３５Ａ、３５Ｂが、底壁部１２と垂直な線Ｌ、すなわち、外力が作用する方向に対して角度をなしているから、一方の保護壁３１Ａの対向縁３５Ａが他方の保護壁３１Ｂの対向縁３５Ｂに干渉する。これにより、底壁部１２から天壁部１５に向かう方向に加えられる外力に抗して保護壁３１Ａ、３１Ｂの変形を抑制し、弾性接触片２１を確実に保護することができる。
【００３５】
また、対向縁３５Ａ、３５Ｂが、全長にわたって、底壁部１２に対して垂直な線Ｌに対して斜めに傾いている。このような構成によれば、単純な形状で保護壁の変形を抑制することができ、製造工程の複雑化を避けることができる。
【００３６】
＜変形例＞
変形例の端子金具５０は、図５に示すように、一対の保護壁５１Ａ、５１Ｂの形状が実施形態と異なる。
【００３７】
実施形態と同様に、一対の保護壁５１Ａ、５１Ｂのうち一方の保護壁５１Ａは、一方の側壁部１３Ａから垂直に延びる板状の部分であり、他方の保護壁５１Ｂは、他方の側壁部１３Ｂから垂直に延びる板状の部分である。保護壁５１Ａ、５１Ｂは、実施形態と同様に、天壁部１５との間にタブ部Ｔの進入を許容する隙間を残して、端子挿入口１７における底壁部１２側の約半分を塞ぐように配置されている。
【００３８】
一方の保護壁５１Ａにおいて、他方の保護壁５１Ｂと対向する対向縁５２Ａは、天壁部１５側の半分（上側部分５２Ａ１）と、底壁部１２側の半分（下側部分５２Ａ２）とが、底壁部１２と垂直な線Ｌに対して、互いに反対向きに傾斜している。より具体的には、対向縁５２Ａは、上側部分５２Ａ１が、底壁部１２に近づくにつれて、側壁部１３Ａから側壁部１３Ｂに近づくように傾斜しており、下側部分５２Ａ２が、底壁部１２に近づくにつれて、側壁部１３Ｂから側壁部１３Ａに近づくように傾斜しており、全体としては、相手側の保護壁５１Ｂに向かって凸となる山状をなしている。
【００３９】
他方の保護壁５１Ｂにおいて、一方の保護壁５１Ａと対向する対向縁５２Ｂは、一方の保護壁５１Ａの対向縁５２Ａに対し、わずかな隙間を空けて平行に延び、対向縁５２Ａに倣うように傾斜している。より具体的には、対向縁５２Ｂは、天壁部１５側の半分（上側部分５２Ｂ１）が、底壁部１２に近づくにつれて、側壁部１３Ａから側壁部１３Ｂに近づくように傾斜しており、底壁部１２側の半分（下側部分５２Ｂ２）が、底壁部１２に近づくにつれて、側壁部１３Ｂから側壁部１３Ａに近づくように傾斜しており、全体としては、相手側の保護壁５１Ａに向かって凹となる谷状をなしている。
【００４０】
その他の構成は実施形態と同様であるので、実施形態と同様の構成には同一の符号を付して説明を省略する。
【００４１】
このような構成であっても、保護壁５１Ａ、５１Ｂに対して、底壁部１２から天壁部１５に向かう方向（図５の太矢印方向）に外力が作用した場合には、一方の保護壁５１Ａの対向縁５２Ａが他方の保護壁５１Ｂの対向縁５２Ｂに干渉し、それ以上の保護壁５１Ａ、５１Ｂの変形が規制される。特に、本変形例では、一方の保護壁５１Ａの山状部分が、他方の保護壁５１Ｂの谷状部分の内側に入り込むようになっているので、保護壁５１Ａ、５１Ｂの変形を確実に規制することができる。
【００４２】
＜他の実施形態＞
本明細書によって開示される技術は上記記述及び図面によって説明した実施形態に限定されるものではなく、例えば次のような種々の態様も含まれる。
（１）上記実施形態では、対向縁３５Ａ、３５Ｂの全体が、底壁部１２と垂直な線Ｌに対して斜めに傾いていたが、例えば、対向縁の一部のみが底壁部と垂直な線に対して斜めに傾いていても構わない。
【００４３】
（２）上記実施形態では、対向縁３５Ａ、３５Ｂが、底壁部１２と垂直な線Ｌに対して斜めに傾いていたが、例えば、対向縁が段差を有しており、対向縁が底壁部と垂直な線に対して垂直方向に延びる部分を有するようになっていても構わない。
【００４４】
（３）変形例では、一方の保護壁５１Ａの対向縁５２Ａの全体が１つの山状となっており、他方の保護壁５１Ｂの対向縁５２Ｂの全体が１つの谷状となっていたが、例えば、一方の保護壁の対向縁が山状の部分を複数有しており、他方の保護壁の対向縁が、一方の保護壁の対向縁の山状部分に倣うように谷状の部分を複数有していても構わない。
【符号の説明】
【００４５】
１、５０…端子金具
１１…角筒部
１２…底壁部
１３Ａ、１３Ｂ…側壁部
１５…天壁部
１７…端子挿入口（開口部）
２１…弾性接触片
３１Ａ、３１Ｂ、５１Ａ、５１Ｂ…保護壁
３５Ａ、３５Ｂ、５２Ａ、５２Ｂ…対向縁
【図１】
2019016479.tif 000003
【図２】
2019016479.tif 000004
【図３】
2019016479.tif 000005
【図４】
2019016479.tif 000006
【図５】
2019016479.tif 000007
【図６】
2019016479.tif 000008
【手続補正書】
【提出日】平成30年7月30日(2018.7.30)
【手続補正１】
【補正対象書類名】明細書
【補正対象項目名】００３３
【補正方法】変更
【補正の内容】
【００３３】
以上のように本実施形態によれば、端子金具１は、底壁部１２と、底壁部１２から立ち上がる一対の側壁部１３Ａ、１３Ｂと、側壁部１３Ｂから連なり、底壁部１２と対向して配された天壁部１５とによって構成され、一端に雄端子金具のタブ部Ｔが進入可能な端子挿入口１７を有する角筒部１１と、角筒部１１の内部に、底壁部１２に沿って配置された板ばね状の弾性接触片２１と、一対の側壁部１３Ａ、１３Ｂから延び、天壁部１５との間にタブ部Ｔの進入を許容する隙間を残して端子挿入口１７を塞ぐように配置された一対の保護壁３１Ａ、３１Ｂとを備える。一対の保護壁３１Ａ、３１Ｂは、互いに相手側の保護壁３１Ａ、３１Ｂと対向する対向縁３５Ａ、３５Ｂを有しており、対向縁３５Ａ、３５Ｂが、底壁部１２に対して垂直な線Ｌに対して斜めに延びている。